(57)【要約】【課題】被吸引異物の除去を容易にすること【解決手段】  ここで提案される負圧吸引式トイレ用のストレーナ付き継手１０は、トイレ側管部材１１が接続される第１継手２１の第１端部２１ａと、タンク側管部材１２が接続される第２継手２２の第１端部２２ａとが、突き合わされた状態で接続部材２３によって接続された継手部材１３を備えている。ここで、タンク側管部材１２の端部は、雄ねじ部１２ｂ１を有している。第２継手２２の端部は、雌ねじ部２２ｂ１と、当該雌ねじ部２２ｂ１の奥に設けられた段差２２ｂ２とを有している。ストレーナ１４は、段差２２ｂ２と雌ねじ部２２ｂ１に装着された雄ねじ部１２ｂ１の端面１２ｂ２との間に挟まれている。【選択図】図２
2020070624.tif 000002
【特許請求の範囲】
【請求項１】
トイレの排水口に接続された第１配管が接続される上流側接続部を有するトイレ側管部材と、
負圧タンクに接続された第２配管が接続される下流側接続部を有するタンク側管部材と、
継手部材と、
ストレーナと
を備え、
前記継手部材は、
前記トイレ側管部材が接続される第１継手と、
前記タンク側管部材が接続される第２継手と、
前記第１継手の第１端部と前記第２継手の第１端部とを突き合わせた状態で接続する、接続部材と
を備え、
前記第２継手に接続される前記タンク側管部材の端部と前記タンク側管部材に接続される前記第２継手の端部とのうち一方の端部は、雄ねじ部を有し、他方の端部は、前記雄ねじ部が装着される雌ねじ部と、当該雌ねじ部の奥に設けられた段差とを有し、
前記ストレーナは、
前記段差と前記雌ねじ部に装着された雄ねじ部の端面との間に挟まれている、負圧吸引式トイレ用のストレーナ付き継手。
【請求項２】
前記第１継手と前記第２継手とのうち一方の継手はユニオン鍔部を有し、他方の継手は外周面にユニオンねじ部を有し、前記接続部材は、前記ユニオン鍔部に当たるとともに前記ユニオンねじ部に装着されたユニオンナットで構成されており、
前記第１継手と前記第２継手の端面には、少なくとも一方にシール材が装着されている、請求項１に記載されたストレーナ付き継手。
【請求項３】
前記第１継手に接続される前記トイレ側管部材の端部と前記トイレ側管部材に接続される前記第１継手の端部とのうち一方の端部は、雄ねじ部を有し、他方の端部は、前記雄ねじ部が装着される雌ねじ部を有している、請求項１または２に記載されたストレーナ付き継手。
【請求項４】
前記ストレーナは、前記段差に配置される円環状の円環部と、前記円環部から内径側に半径方向に沿って延びたトラップを備えた、請求項１から３までの何れか一項に記載されたストレーナ付き継手。
【請求項５】
前記トラップに刃が付けられている、請求項４に記載されたストレーナ付き継手。
【請求項６】
前記段差に取付けられたストレーナと、前記第１継手と前記第２継手とが突き合わされた部位との距離は、５ｍｍ以上である、請求項１から５までの何れか一項に記載されたストレーナ付き継手。
【請求項７】
前記段差に取付けられたストレーナと、前記第１継手と前記第２継手とが突き合わされた部位との距離は、４０ｍｍ以下である、請求項６に記載されたストレーナ付き継手。
【請求項８】
底部に排水口を有する便器本体と、
前記便器本体の前記排水口に接続され、前記便器本体の中間において前記便器本体に溜められる排水の高さを規定する予め定められた高さ位置に排水管路の底が配置されるように、前記排水口に接続された一端部から連続した立ち上がり部と、前記高さ位置よりも低い位置に排水管路の天井が配置されるように、前記立ち上がり部から連続した降下部とを備えた排水管路と、
前記排水管路に接続された負圧タンクと
を備え、
前記排水管路は、
前記排水口に接続された第１配管と、
前記負圧タンクに接続された第２配管と、
前記第１配管と前記第２配管とに接続された、請求項１から７までの何れか一項に記載されたストレーナ付き継手と
で構成された、負圧吸引式トイレ。
【請求項９】
前記排水管路は、鉛直方向に沿って配設された部位を有し、
前記ストレーナ付き継手は、前記排水管路の鉛直方向に沿って配設された部位に取付けられている、請求項８に記載された負圧吸引式トイレ。
【発明の詳細な説明】
【技術分野】
【０００１】
本発明は、負圧吸引式トイレ用のストレーナ付き継手および負圧吸引式トイレに関する。
【背景技術】
【０００２】
例えば、特開２００２−３２２７２２号公報には、真空トイレシステムに関し、便器と固定配管との間に設けられるエルボ管の内部に、固定配管以降の詰りを防止するフィルタを設置することが開示されている。ここで提案されるフィルタは、リング状の外輪の内側に直径方向の棒状部が設けられた形状を有する。フィルタは固定配管の端部に取り付けられ、その上からフィルタに被せるようにエルボ管が取り付けられている。
【０００３】
実開昭５５−３２４６４号公報には、管の継手にフィルタを取り付けることが開示されている。同公報では、ユニオン管継手にスラッジを補足する濾過材を取り付けることが開示されている。
【０００４】
特開２０１４−１０８１１５号公報には、便器と負圧タンクとが排水管路で接続された負圧吸引式トイレが開示されている。ここで開示された負圧吸引式トイレでは、負圧タンクに負圧を形成した後で負圧タンクの吸引口に設けられた弁が開かれ、排水管路を通じて便器に溜まった汚水を負圧タンクに一気に吸引することが開示されている。負圧吸引式トイレは、負圧タンクの下部が下水施設に繋がっている。負圧タンクに吸引された汚水は、下部に設けられた排出口から下水施設に排出される。
【先行技術文献】
【特許文献】
【０００５】
【特許文献１】特開２００２−３２２７２２号公報
【特許文献２】実開昭５５−３２４６４号公報
【特許文献３】特開２０１４−１０８１１５号公報
【発明の概要】
【発明が解決しようとする課題】
【０００６】
ところで、負圧吸引式トイレは、便器に溜まった汚水を負圧タンクに一気に吸引することができ、汚水とともに不溶性のシートなどが負圧タンクに吸引されうる。つまり、不溶性のシートは、例えば、不織布などであり、トイレ廻り掃除用の使い捨てシートなどとして市販されている。このようなシートが使用者の不注意により、便器に捨てられる場合がある。負圧タンクの排出口から下水施設への汚水の排出は自然落下による。このため、例えば、不溶性のシートなどが汚水と一緒に負圧タンクに吸引され、負圧タンクの汚水中に不溶性のシートが含まれていると、負圧タンクの排出口に溜まり、排出口を詰まらせる原因になりうる。この場合、排水管路にストレーナを取り付けるとよいが、負圧吸引式トイレは、日常的に使用されるため、ストレーナに補足された不溶性シートの除去が容易であることが望ましい。
【課題を解決するための手段】
【０００７】
ここで提案される負圧吸引式トイレ用のストレーナ付き継手は、トイレ側管部材と、タンク側管部材と、継手部材と、ストレーナとを備えている。
トイレ側管部材は、トイレの排水口に接続された第１配管が接続される上流側接続部を有している。タンク側管部材は、負圧タンクに接続された第２配管が接続される下流側接続部を有している。継手部材は、トイレ側管部材が接続される第１継手と、タンク側管部材が接続される第２継手と、第１継手の第１端部と第２継手の第１端部とを突き合わせた状態で接続する接続部材とを備えている。ここで、第２継手に接続されるタンク側管部材の端部とタンク側管部材に接続される第２継手の端部とのうち一方の端部は、雄ねじ部を有し、他方の端部は、雄ねじ部が装着される雌ねじ部と、当該雌ねじ部の奥に設けられた段差とを有している。ストレーナは、当該段差と雌ねじ部に装着された雄ねじ部の端面との間に挟まれている。
【０００８】
かかるストレーナ付き継手によれば、負圧吸引式トイレの排水管路に取り付けられることによって、不溶性シートのような大きな被吸引異物がストレーナによって補足される。また、補足された被吸引異物が取り除かれやすい。負圧吸引式トイレ用のストレーナ付き継手が排水管路に取り付けられた負圧吸引式トイレでは、負圧タンクの排出口を詰まらせる原因となりうる大きな被吸引異物が負圧タンクにまで入りに込みにくい。負圧吸引式トイレ用のストレーナ付き継手に補足された被吸引異物が取り除かれやすい。
【図面の簡単な説明】
【０００９】
【図１】図１は、負圧吸引式トイレ用のストレーナ付き継手１０が取り付けられた負圧吸引式トイレ１０００の構成図である。
【図２】図２は、負圧吸引式トイレ用のストレーナ付き継手１０の断面図である。
【図３】図３は、負圧吸引式トイレ用のストレーナ付き継手１０の分解図である。
【図４】図４は、トイレ側管部材１１の分解図である。
【図５】図５は、ストレーナ１４の平面図である。
【発明を実施するための形態】
【００１０】
以下、本発明の一実施形態に係る負圧吸引式トイレ用のストレーナ付き継手を図面に基づいて説明する。なお、ここで説明する実施形態および実施例は、本願発明の好適な一形態を例示するものであるが、特段の言及がない限りにおいて、本願発明を限定しない。
【００１１】
図１は、負圧吸引式トイレ用のストレーナ付き継手１０が取り付けられた負圧吸引式トイレ１０００の構成図である。
【００１２】
負圧吸引式トイレ１０００は、図１に示されているように、便器本体１１０と、排水管路１３０と、負圧タンク２００とを備えている。便器本体１１０は、底部に排水口１１１を有している。
【００１３】
負圧タンク２００は、吸引口２０１と、真空ポンプ２０２と、開閉弁２０３と、排出口２０４と、排出弁２０５とを備えている。
吸引口２０１は、負圧タンク２００に汚水を引き込む開口である。真空ポンプ２０２は、負圧タンク２００を真空引きする装置である。開閉弁２０３は、吸引口２０１の開閉を行う弁である。排出口２０４は、負圧タンク２００の底に設けられ、下水設備３００に接続された開口である。排出弁２０５は、排出口２０４の開閉を行う弁である。
【００１４】
排水管路１３０は、便器本体１１０の排水口１１１と負圧タンク２００の吸引口２０１とに接続されている。排水管路１３０は、立ち上がり部１３１と、降下部１３２とを備えている。
【００１５】
立ち上がり部１３１は、便器本体１１０の排水口１１１に接続された一端部から連続し、排水口１１１よりも上方に立ち上がった部位である。立ち上がり部１３１は、便器本体１１０の中間において便器本体１１０に溜められる排水の高さｈ１を規定する予め定められた高さ位置に排水管路１３０の底が配置されている。降下部１３２は、立ち上がり部１３１から降下しており、便器本体１１０に溜められる排水の高さｈ１を規定する高さ位置よりも低い位置に排水管路１３０の天井が配置される。かかる立ち上がり部１３１が設けられていることによって、便器本体１１０には、予め定められた高さ位置まで排水が溜められるようになっている。
【００１６】
ここで、排水管路１３０は、便器本体１１０の排水口１１１に接続された第１配管１３０ａと、負圧タンク２００の吸引口２０１とに接続された第２配管１３０ｂと、第１配管１３０ａと第２配管１３０ｂとに接続されたストレーナ付き継手１０とで構成されている。この実施形態では、第１配管１３０ａには、上述した立ち上がり部１３１や降下部１３２を備えている。排水管路１３０は、鉛直方向に沿って配設された部位を有している。ストレーナ付き継手１０は、排水管路１３０の鉛直方向に沿って配設された部位に取付けられている。
【００１７】
例えば、便器本体１１０が室内に置かれ、負圧タンク２００が室外に置かれている場合に、排水管路１３０は、壁１４０に開けられた穴１４１を通じて室外に延びている。このような場合、排水管路１３０は、室内では床に沿って這わされ、かつ、壁１４０に開けられた穴１４１に向けて壁沿いを鉛直方向に延ばされているとよい。ストレーナ付き継手１０は、排水管路１３０が壁に沿って鉛直方向に延びた箇所に取り付けられているとよい。図１では、ストレーナ付き継手１０は、特に模式的に記載されている。また、この実施形態では、室内に置かれる便器本体１１０の位置は、例えば、ベッドの位置に合せて変更できることが望ましい。このため、排水管路１３０の第１配管１３０ａのうち、床を這わされている部分には室内では所要の耐圧性と柔軟性を有するフレキシブルチューブ（例えば、株式会社トヨックス製の配管ＴＳ−１９など）が用いられうる。なお、排水管路１３０の第１配管１３０ａのうち立ち上がり部１３１や降下部１３２は、汚水に含まれる便などの固形分を破砕するために、硬質配管（例えば、塩化ビニル製配管）で構成されているとよい。
【００１８】
図２は、負圧吸引式トイレ用のストレーナ付き継手１０の断面図である。図３は、負圧吸引式トイレ用のストレーナ付き継手１０の分解図である。
【００１９】
負圧吸引式トイレ用のストレーナ付き継手１０は、図２および図３に示されているように、トイレ側管部材１１と、タンク側管部材１２と、継手部材１３と、ストレーナ１４とを備えている。図２および図３では、便宜上、ストレーナ付き継手１０が横向きに配置されているが、図１に示された例では、トイレ側管部材１１が下、タンク側管部材１２が上に向けられるように縦向きに取り付けられている。
【００２０】
トイレ側管部材１１は、トイレの排水口１１１に接続された第１配管１３０ａが接続される上流側接続部１１ｄを有している。ここで、トイレの排水口１１１に接続された第１配管１３０ａは、ストレーナ付き継手１０に接続される端部１３０ａ１において、上述のように所要の耐圧性と柔軟性を有するフレキシブルチューブでありうる。トイレ側管部材１１には、かかるフレキシブルチューブに接続される継手が採用されうる。例えば、第１配管１３０ａは、ストレーナ付き継手１０に接続される部分には、株式会社トヨックス製の配管ＴＳ−１５が用いられている場合には、トイレ側管部材１１には、例えば、株式会社トヨックス製のナット締め付けタイプのコネクタであるＴＣ３−ＰＢなどが採用されうる。なお、ここで、ストレーナ付き継手１０に接続される部分に採用されるフレキシブルチューブや、ストレーナ付き継手１０のトイレ側管部材１１は一例に過ぎず、これに限定されない。トイレ側管部材１１には、例えば、カムロック式のカプラーホースシャンクのような部材が適宜に採用されうる。
【００２１】
図４は、トイレ側管部材１１の分解図である。この実施形態において、トイレ側管部材１１には、ナット締め付けタイプのコネクタが採用されている。トイレ側管部材１１は、図４に示されているように、ニップル１１ａと、スリーブ１１ｂと、袋ナット１１ｃとを備えている。
【００２２】
ニップル１１ａは、金属製（この実施形態では、真鍮製）であり、管の両端にテーパねじ１１ａ１，１１ａ２が切られている。一方のテーパねじ１１ａ１は、袋ナット１１ｃが取り付けられる。他方のテーパねじ１１ａ２は、継手部材１３の一方の端部に接続される。
【００２３】
スリーブ１１ｂは、樹脂製（この実施形態では、ポリアセタール製）であり、フレキシブルチューブの端部よりも少し大きい内径を有している。スリーブ１１ｂの第１端部１１ｂ１は、周方向に連続した基部であり、内径側に突出している。スリーブ１１ｂの第２端部１１ｂ２は、周方向に複数のスリット１１ｂ３が形成されている。かかるスリット１１ｂ３が形成されていることによって、スリーブ１１ｂの第２端部１１ｂ２は、内径側が変形しうる。スリーブ１１ｂの第２端部１１ｂ２の内周面には、排水管路１３０の第１配管１３０ａとしてのフレキシブルチューブの外周面に引っ掛かる突条１１ｂ４が複数形成されている。
【００２４】
袋ナット１１ｃの一端の内周面には、ねじ溝１１ｃ１が形成されており、袋ナット１１ｃは、スリーブ１１ｂを包むようにニップル１１ａの一方のテーパねじ１１ａ１に取り付けられる。袋ナット１１ｃは、ニップル１１ａの一方のテーパねじ１１ａ１から軸方向に延びており、当該部位の内周面には、突起１１ｃ２が設けられている。袋ナット１１ｃは、図２に示されているように、排水管路１３０の第１配管１３０ａとしてのフレキシブルチューブに予め装着される。そして、排水管路１３０の第１配管１３０ａの端部を、ニップル１１ａに着座させたスリーブ１１ｂに装着する。そして、袋ナット１１ｃがニップル１１ａの一方のテーパねじ１１ａ１に取り付けられた際、突起１１ｃ２によってスリーブ１１ｂの一端１１ｂ２の外周面が内径側に押される。このため、スリーブ１１ｂが縮形され、排水管路１３０の第１配管１３０ａとしてのフレキシブルチューブが、スリーブ１１ｂによって保持される。
【００２５】
タンク側管部材１２は、図２に示されているように、負圧タンク２００に接続された第２配管１３０ｂが接続される下流側接続部１２ａを有している。この実施形態では、下流側接続部１２ａは、軸方向に沿って内径が縮形したテーパ状の接続部で構成されている。第２配管１３０ｂは、上述のように塩化ビニル製配管のような硬質配管である。第２配管１３０ｂのストレーナ付き継手１０に接続される端部１３０ｂ１は、下流側接続部１２ａに装着されて接着剤で接着されている。タンク側管部材１２の反対側の端部１２ｂは、継手部材１３に接続される。この実施形態では、タンク側管部材１２の当該端部１２ｂには、外側面にねじが切られた雄ねじ部１２ｂ１が設けられている。
【００２６】
継手部材１３は、図２に示されているように、トイレ側管部材１１とタンク側管部材１２とを接続する部材である。
【００２７】
継手部材１３は、第１継手２１と、第２継手２２と、接続部材２３とを備えている。
第１継手２１は、ストレーナ付き継手１０の一部品であり、トイレ側管部材１１が接続される部品である。第２継手２２は、ストレーナ付き継手１０の一部品であり、タンク側管部材１２が接続される部品である。接続部材２３は、第１継手２１の第１端部２１ａと第２継手２２の第１端部２２ａとを突き合わせた状態で接続する部材である。
【００２８】
この実施形態では、第１継手２１はユニオン鍔部２１ｂを有している。第２継手２２は外周面にユニオンねじ部２２ｂを有している。接続部材２３は、ユニオン鍔部２１ｂに当たるように内径側に突出した縁部２３ａと、ユニオンねじ部２２ｂに装着されるユニオンナット２３ｂで構成されている。また、第１継手２１と第２継手２２の端面には、少なくとも一方（この実施形態では、第２継手２２の端面）にシール材２２ｃが装着されている。シール材２２ｃは、第２継手２２の端面に形成された溝に装着されたＯリングでありうる。
【００２９】
かかる接続部材２３としては、上述のようないわゆるユニオン継手の構造を有する種々の継手が適用されうる。例えば、旭有機材株式会社製の樹脂製のユニオン継手（例えば、プレハブジョイント  ねじ込み型やソケット型）などが用いられうる。ユニオン継手の構造や取り付けられる向きなどは、特段限定されず、トイレ側管部材１１に取り付けられる第１継手２１と、タンク側管部材１２に取り付けられる第２継手２２とのうち一方の継手に、ユニオン鍔が設けられているとよい。また、他方の継手にユニオンねじが設けられているとよい。
【００３０】
このような継手部材１３では、ユニオンナットとしての接続部材２３が外されることによって、トイレ側管部材１１に接続された第１継手２１と、タンク側管部材１２に接続されたタンク側管部材１２とが取り外される。この際、トイレ側管部材１１と、タンク側管部材１２を軸方向廻りに回転させることなども要しない。このため、トイレ側管部材１１とタンク側管部材１２との分離や接続が容易である。
【００３１】
この実施形態では、第１継手２１に接続されるトイレ側管部材１１の端部はテーパねじ１１ａ２であり、雄ねじ部として構成されている。他方、トイレ側管部材１１に接続される第１継手２１は、雌ねじ部２１ｃを有している。これに対して、図示は省略するが、第１継手２１に接続されるトイレ側管部材１１の端部に雌ねじが形成され、他方、トイレ側管部材１１に接続される第１継手２１に雄ねじが形成されて両者が組付けられていてもよい。第１継手２１と、第１継手２１に接続されるトイレ側管部材１１の端部に、このようなねじ込み型の構造が取り付けられていることによって、第１継手２１がトイレ側管部材１１から取り外しやすくなる。
【００３２】
この実施形態では、第２継手２２に接続されるタンク側管部材１２の端部１２ｂは、雄ねじ部１２ｂ１を有している。第２継手２２の端部は、タンク側管部材１２の雄ねじ部１２ｂ１が装着される雌ねじ部２２ｂ１を有する。雌ねじ部２２ｂ１の奥には、段差２２ｂ２が設けられている。
【００３３】
ストレーナ１４は、段差２２ｂ２に装着され、当該段差２２ｂ２と雌ねじ部２２ｂ１に装着された雄ねじ部１２ｂ１の端面１２ｂ２との間に挟まれている。ストレーナ１４は、排水管路１３０を流れる汚水中の固形分（特に、所定の大きさ以上のもの）を補足する。例えば、汚水中に含まれる便などは通過させ、特に、不溶性のシートのような被吸引異物が補足されるように、適度な間隙を有しているとよい。なお、負圧タンク２００では、立ち上がり部１３１や降下部１３２などの配管を通る際に汚水中に含まれる便などは細かく砕かれる。また、汚水が勢いよくストレーナ１４を通過するため、便などは液体成分と一緒にストレーナ１４を通過しうる。
【００３４】
このストレーナ付き継手１０によれば、第２継手２２とタンク側管部材１２との接合部にストレーナ１４が配置されている。排水管路１３０を通過する被吸引異物がストレーナ１４で補足される。このため、負圧タンク２００に不溶性シートのような被吸引異物が吸引されない。ストレーナ１４に被吸引異物が補足された状態では、排水管路１３０が詰まる原因となるが、継手部材１３が外されると、ストレーナに引っ掛かった被吸引異物（例えば、不溶性シート）が取り出される。トイレ側管部材１１とタンク側管部材１２とが継手部材１３を介して接続されている。継手部材１３を外すのに、トイレ側管部材１１とタンク側管部材１２をそれぞれ廻す必要がない。このため、上述のようにタンク側管部材１２に取り付けられた排水管路１３０の第２配管１３０ｂが塩化ビニル製の硬質配管であるような場合でも、トイレ側管部材１１とタンク側管部材１２の取り外しが容易である。さらに第２継手２２をタンク側管部材１２から外すと、ストレーナ１４が取り外せる。このため、ストレーナ１４の清掃や第２継手２２の清掃なども容易である。
【００３５】
さらに、被吸引異物が多量でストレーナ１４が配置された部位から第１継手２１の内部やトイレ側管部材１１の内部にまで及んでいても、第１継手２１がトイレ側管部材１１から取り外せるので、被吸引異物の取り出しが容易である。例えば、トイレ掃除用の不織布のシートが２枚、３枚程度、吸引されてストレーナ１４に引っ掛かり、排水管路１３０が詰まることがある。また、トイレ掃除用の不織布のシートが吸引されてストレーナ１４に引っ掛かったときに、トイレットペーパーなどが合せて詰まることもある。このような場合でも、不織布のシートやトイレットペーパーなどストレーナ１４に引っ掛かった異物を取り出すのが容易である。かかる観点において、第１継手２１と、第１継手２１に接続されるトイレ側管部材１１の端部とは、例えば、いわゆるねじ込み型の構造とし、取り付けや取り外しが容易な構造で接続されているとよい。かかる観点において、第１継手２１と、第１継手２１に接続されるトイレ側管部材１１の端部とは、ねじ込み型の接続構造だけでなく、第１継手２１と、第１継手２１に接続されるトイレ側管部材１１の端部とにおいて、水漏れなどがなく取り付けや取り外しが容易な種々の接続構造、クイックコネクタが採用されうる。被吸引異物が取り出された後は、例えば、便器本体１１０に水を溜めて、負圧タンク２００の吸引によって、負圧吸引するとよい。これにより、排水管路１３０の汚れが除去される。
【００３６】
なお、ストレーナ１４を設ける構造は、上述した形態に限定されない。例えば、図示は省略するが、第２継手２２に接続されるタンク側管部材１２の端部１２ｂが雌ねじ部を有しており、第２継手２２の端部が雄ネジ部を有しており、タンク側管部材１２の端部の雌ねじ部の奥に段差が設けられていてもよい。この場合、タンク側管部材１２の端部の雌ねじ部の奥に段差に、ストレーナ１４が配置されていてもよい。
【００３７】
図５は、ストレーナ１４の平面図である。ストレーナ１４は、図５に示されているように、段差２２ｂ２に配置される円環状の円環部１４ａと、円環部１４ａから内径側に半径方向に沿って延びたトラップ１４ｂを備えている。この場合、複数のトラップ１４ｂが交差していてもよい。例えば、トラップ１４ｂは、図５に示されているように、円環部１４ａの直径に沿った直交する２本の直線に沿って延びていてもよい。
【００３８】
ストレーナ１４のトラップ１４ｂには刃が付けられていてもよい。ストレーナ１４のトラップ１４ｂに刃が付けられていることによって、例えば、便の塊やトイレットペーパーのような水溶性のペーパーなどは、トラップ１４ｂによって粉砕され、ストレーナ１４に補足されにくくなる。このため、不必要に排水管路１３０が詰まり難い。トラップ１４ｂに設けられた刃が、トイレ側管部材１１側に向けられるようにストレーナ１４が取り付けられるとよい。なお、ストレーナ１４の円環部１４ａが装着される部分およびストレーナ１４の円環部１４ａなどに、トラップ１４ｂの刃の向きを規定するための、相互に嵌まり合う構造、例えば、窪みや段差や突起などが設けられていてもよい。そして、トラップ１４ｂの刃の向きが適切でないと、継手部材１３の第２継手２２とタンク側管部材１２とが適切に接続できないように構成されているとよい。これにより、トラップ１４ｂに設けられた刃が、必ずトイレ側管部材１１側に向けられる。
【００３９】
段差２２ｂ２に取付けられたストレーナ１４は、継手部材１３の第１継手２１と第２継手２２とが突き合わされた部位Ａ１から５ｍｍ以上、より好ましくは１０ｍｍ以上、離れた位置に配置されていてもよい。つまり、段差２２ｂ２に取付けられたストレーナ１４と、第１継手２１と第２継手２２とが突き合わされた部位Ａ１との距離Ｄ１は、５ｍｍ以上であるとよい。この場合、第１継手２１と第２継手２２とが突き合わされた部位Ａ１から離れた位置にストレーナ１４が配置されているので、ストレーナ１４は、第２継手２２が突き合わされた端面から見ると凹んだ位置に取り付けられている。接続部材２３が取り外され、第１継手２１と第２継手２２とが取り外された場合には、ストレーナ１４に補足される被吸引異物は、第２継手２２の凹んだ位置に食い込んだ状態であるから、第１継手２１と第２継手２２とが取り外されたときに、第２継手２２に保持される。また、被吸引異物が大きい場合には、被吸引異物は、第１継手２１側に保持された状態であるかも知れない。何れにしても第１継手２１と第２継手２２とが突き合わされた部位Ａ１から離れた位置にストレーナ１４が配置されているので、第１継手２１と第２継手２２と分離したときに、被吸引異物は、第１継手２１あるいは第２継手２２に保持された状態で取り出されうる。このため、被吸引異物を取り外すときに廻りを汚しにくい。
【００４０】
なお、第１継手２１と第２継手２２とが突き合わされた部位Ａ１からストレーナ１４が配置された位置が離れすぎていると、第１継手２１と第２継手２２と分離しただけでは、被吸引異物が取り出しにくくなる。かかる観点において、段差２２ｂ２に取付けられたストレーナ１４と、前記第１継手と第２継手とが突き合わされた部位Ａ１との距離Ｄ１は、４０ｍｍ以下であるとよい。
【００４１】
図１に示された例では、トイレ側管部材１１が下、タンク側管部材１２が上に向けられるように縦向きに取り付けられている。縦向きに取り付けられている場合、タンク側管部材１２に取り付けられる配管が硬質配管で動かしにくいような場合でも、ストレーナ付き継手１０の分離が容易になり、第１継手２１と第２継手２２の取り外しが容易である。なお、ストレーナ付き継手１０は、排水管路１３０が水平に配置された部位に取り付けられてもよい。
【００４２】
以上の通りに、ここで提案される負圧吸引式トイレ用のストレーナ付き継手の一実施形態を種々説明したが、ここで提案される負圧吸引式トイレ用のストレーナ付き継手は、上述した実施形態に限定されない。また、ここで提案される負圧吸引式トイレ用のストレーナ付き継手は、種々変更でき、特段の問題が生じない限りにおいて、各構成要素やここで言及された各処理は適宜に省略され、または、適宜に組み合わされうる。
【産業上の利用可能性】
【００４３】
本発明は、負圧吸引式トイレ用のストレーナ付き継手および負圧吸引式トイレとして産業上利用可能である。
【符号の説明】
【００４４】
１０  ストレーナ付き継手
１１  トイレ側管部材
１１ａ  ニップル
１１ｂ  スリーブ
１１ｂ３  スリット
１１ｂ４  突条
１１ｃ  袋ナット
１１ｄ  上流側接続部
１２  タンク側管部材
１２ａ  下流側接続部
１２ｂ  第２継手２２が接続されるタンク側管部材１２の端部
１２ｂ１  雄ねじ部
１２ｂ２  雄ねじ部１２ｂ１の端面
１３  継手部材
１４  ストレーナ
１４ａ  円環部
１４ｂ  トラップ
２１  第１継手
２１ａ  第１継手２１の第１端部
２１ｂ  ユニオン鍔部
２１ｃ  雌ねじ部
２２  第２継手
２２ａ  第２継手２２の第１端部
２２ｂ  ユニオンねじ部
２２ｂ１  雌ねじ部
２２ｂ２  段差
２２ｃ  シール材
２３  接続部材
２３ａ  縁部
２３ｂ  ユニオンナット
１１０  便器本体
１１１  排水口
１３０  排水管路
１３０ａ  第１配管
１３０ａ１  第１配管１３０ａのストレーナ付き継手１０に接続される部位
１３０ｂ  第２配管
１３０ｂ１  第２配管１３０ｂのストレーナ付き継手１０に接続される端部
１３１  立ち上がり部
１３２  降下部
１４０  壁
１４１  穴
２００  負圧タンク
２０１  吸引口
２０２  真空ポンプ
２０３  開閉弁
２０４  排出口
２０５  排出弁
３００  下水設備
１０００  負圧吸引式トイレ
Ａ１  第１継手２１と第２継手２２とが突き合わされた部位
Ｄ１  ストレーナ１４と、第１継手と第２継手とが突き合わされた部位Ａ１との距離
【図１】
2020070624.tif 000003
【図２】
2020070624.tif 000004
【図３】
2020070624.tif 000005
【図４】
2020070624.tif 000006
【図５】
2020070624.tif 000007